(57)【特許請求の範囲】
【請求項１】
装置の動作についての各設定項目の設定値の初期値を記憶する初期値記憶手段と、前記初期値を変更する変更手段と、前記変更手段により変更された変更値を記憶する変更値記憶手段とを備える電子装置において、
前記変更手段により設定値が変更された設定項目を抽出する設定項目抽出手段と、
前記設定項目抽出手段により抽出された設定項目の設定値について、前記変更値記憶手段に記憶された変更値と前記初期値記憶手段に記憶された初期値とを共に表示する表示手段と、
前記変更手段により変更され、前記初期値と前記変更値とが異なる設定項目の数を計数する計数手段と、
前記計数手段の計数値が所定値以上になったときに警報する警報手段と、を有することを特徴とする電子装置。
【請求項２】
請求項１に記載する電子装置において、
前記表示手段に前記変更値を表示する表示条件を設定する表示条件設定手段と、
前記設定項目抽出手段により抽出された設定項目又は当該設定項目の変更値が、前記表示条件設定手段により設定された表示条件に合致しないときに警告する警告手段と、を有することを特徴とする電子装置。
【請求項３】
請求項１又は請求項２に記載する電子装置において、
前記変更手段により変更された設定項目を選択可能な選択手段と、
前記選択手段により選択された設定項目の設定値について、前記初期値記憶手段に記憶された初期値に変更する初期化手段と、を有することを特徴とする電子装置。
【請求項４】
請求項１乃至請求項３の何れか１つに記載する電子装置において、
前記変更値記憶手段が、前記変更値の履歴を記憶しており、
前記表示手段が、前記変更値記憶手段に記憶された前記変更値の履歴を表示するものであること、を特徴とする電子装置。
【請求項５】
請求項１乃至請求項４の何れか１つに記載する電子装置が、印刷手段を備えた画像形成装置であって、前記表示手段が前記印刷手段であることを特徴とする画像形成装置。
【請求項６】
装置の動作についての各設定項目の設定値の初期値を記憶する初期値記憶手段と、前記初期値より変更された変更値を記憶する変更値記憶手段とを備える画像形成装置に、上位装置が通信手段を介して接続された画像形成システムにおいて、
前記画像形成装置は、
前記設定値が変更された設定項目を抽出する設定項目抽出手段と、
前記設定項目抽出手段により抽出された設定項目の設定値について、前記変更値記憶手段に記憶された変更値と前記初期値記憶手段に記憶された初期値とを共に前記上位装置に前記通信手段を介して送信する第１送信手段と、
前記初期値と前記変更値とが異なる設定項目の数を計数した計数値が、所定値以上になったときに、前記上位装置に警告を通知する警告通知手段と、を有する
ことを特徴とする画像形成システム。
【請求項７】
請求項６に記載する画像形成システムにおいて、
前記上位装置は、
前記第１送信手段が送信した前記変更値と前記初期値とを受信する受信手段と、
前記受信手段が受信した前記変更値と前記初期値とを記憶する記憶手段と、
前記記憶手段に記憶された前記変更値若しくは前記初期値を変更する変更手段と、
前記変更手段により変更された変更値を前記画像形成装置へ送信する第２送信手段と、を有することを特徴とする画像形成システム。
【請求項８】
請求項６又は請求項７に記載する画像形成システムにおいて、
前記変更値記憶手段が、前記変更値の履歴を記憶しており、
前記第１送信手段が、前記変更値記憶手段に記憶された前記変更値の履歴を前記上位装置に送信するものであること、を特徴とする画像形成システム。
【請求項９】
請求項６乃至請求項８の何れか１つに記載する画像形成システムにおいて、
前記上位装置は、
前記表示手段に前記変更値を表示する表示条件を設定する表示条件設定手段と、
前記表示条件設定手段が設定した前記表示条件を前記通信手段を介して前記画像形成装置へ送信する第３送信手段とを有し、
前記画像形成装置が、
前記設定項目抽出手段により抽出された設定項目又は当該設定項目の変更値が、前記上位装置から受信した前記表示条件に合致しないときに、前記上位装置に警告を通知する通知手段と、を有することを特徴とする画像形成システム。
【発明の詳細な説明】
【技術分野】
【０００１】
本発明は、装置の動作についての設定項目及び設定値を表示する電子装置、画像形成装置及び画像形成システムに関する。
【背景技術】
【０００２】
従来より、装置の動作条件を表示することにより、変更された動作条件をユーザに理解させることが可能な電子装置として、例えば、特許文献１に記載される印刷装置がある。特許文献１に記載される印刷装置は、当該印刷装置の設定項目及び設定値を保存する印刷設定値格納手段と直前の設定項目及び設定値を保存する前印刷設定値格納手段を持ち、例えば、メニューリンクにより、印刷設定値格納手段内のデータが更新された場合には、印刷設定値格納手段と前印刷設定値格納手段内の設定値を比較し、異なる設定値を反転表示し、同じ設定値を通常表示するなどして、視覚的にユーザが変更項目及び設定値を理解できるようにしている。
【０００３】
【特許文献１】特開２００４−３２６６５８号公報
【発明の開示】
【発明が解決しようとする課題】
【０００４】
しかしながら、従来の印刷装置は、直前の設定値と変更されていない設定項目及び設定値と、直前の設定値と変更された設定項目及び設定値とを何れも表示するため、表示される設定項目及び設定値の数が多かった。そのため、ユーザは、表示された設定項目及び設定値に一通り目を通し、どの設定項目及び設定値が反転表示され変更されたかを確認しなければならず、ユーザの理解に時間を要し、使い勝手が悪かった。
【０００５】
本発明は、上記問題点を解決するためになされたものであり、設定が変更された装置の設定項目についてユーザが迅速に理解することができるとともに、初期値若しくは初期値からの変更量も容易に理解することができる電子装置、画像形成装置及び画像形成システムを提供することを目的とする。
【課題を解決するための手段】
【０００６】
本発明に係る電子装置、画像形成装置及び画像形成システムは、次のような構成を有している。
（１）装置の動作についての各設定項目の設定値の初期値を記憶する初期値記憶手段と、前記初期値を変更する変更手段と、前記変更手段により変更された変更値を記憶する変更値記憶手段とを備える電子装置において、前記変更手段により設定値が変更された設定項目を抽出する設定項目抽出手段と、前記設定項目抽出手段により抽出された設定項目の設定値について、前記変更値記憶手段に記憶された変更値と前記初期値記憶手段に記憶された初期値とを共に表示する表示手段と、前記変更手段により変更され、前記初期値と前記変更値とが異なる設定項目の数を計数する計数手段と、前記計数手段の計数値が所定値以上になったときに警報する警報手段と、を有することを特徴とする。
【０００８】
（２）（１）に記載する電子装置において、前記表示手段に前記変更値を表示する表示条件を設定する表示条件設定手段と、前記設定項目抽出手段により抽出された設定項目又は当該設定項目の変更値が、前記表示条件設定手段により設定された表示条件に合致しないときに警告する警告手段と、を有することを特徴とする。
【０００９】
（３）（１）又は（２）に記載する電子装置において、前記変更手段により変更された設定項目を選択可能な選択手段と、前記選択手段により選択された設定項目の設定値について、前記初期値記憶手段に記憶された初期値に変更する初期化手段と、を有することを特徴とする。
【００１０】
（４）（１）乃至（３）の何れか１つに記載する電子装置において、前記変更値記憶手段が、前記変更値の履歴を記憶しており、前記表示手段が、前記変更値記憶手段に記憶された前記変更値の履歴を表示するものであること、を特徴とする。
【００１１】
（５）（１）乃至（４）の何れか１つに記載する電子装置が、印刷手段を備えた画像形成装置であって、前記表示手段が前記印刷手段であることを特徴とする。
【００１２】
（６）装置の動作についての各設定項目の設定値の初期値を記憶する初期値記憶手段と、前記初期値より変更された変更値を記憶する変更値記憶手段とを備える画像形成装置に、上位装置が通信手段を介して接続された画像形成システムにおいて、前記画像形成装置は、前記設定値が変更された設定項目を抽出する設定項目抽出手段と、前記設定項目抽出手段により抽出された設定項目の設定値について、前記変更値記憶手段に記憶された変更値と前記初期値記憶手段に記憶された初期値とを共に前記上位装置に前記通信手段を介して送信する第１送信手段と、前記初期値と前記変更値とが異なる設定項目の数を計数した計数値が、所定値以上になったときに、前記上位装置に警告を通知する警告通知手段と、を有することを特徴とする。
【００１３】
（７）（６）に記載する画像形成システムにおいて、前記上位装置は、前記第１送信手段が送信した前記変更値と前記初期値とを受信する受信手段と、前記受信手段が受信した前記変更値と前記初期値とを記憶する記憶手段と、前記記憶手段に記憶された前記変更値若しくは前記初期値を変更する変更手段と、前記変更手段により変更された変更値を前記画像形成装置へ送信する第２送信手段と、を有することを特徴とする。
【００１４】
（８）（６）又は（７）に記載する画像形成システムにおいて、前記変更値記憶手段が、前記変更値の履歴を記憶しており、前記第１送信手段が、前記変更値記憶手段に記憶された前記変更値の履歴を前記上位装置に送信するものであること、を特徴とする。
【００１５】
（９）（６）乃至（８）の何れか１つに記載する画像形成システムにおいて、前記上位装置は、前記表示手段に前記変更値を表示する表示条件を設定する表示条件設定手段と、前記表示条件設定手段が設定した前記表示条件を前記通信手段を介して前記画像形成装置へ送信する第３送信手段とを有し、前記画像形成装置が、前記設定項目抽出手段により抽出された設定項目又は当該設定項目の変更値が、前記上位装置から受信した前記表示条件に合致しないときに、前記上位装置に警告を通知する通知手段と、を有することを特徴とする。
【発明の効果】
【００１６】
上記構成を有する電子装置、画像形成装置及び画像形成システムの効果について説明する。
本発明の電子装置は、装置の動作についての各設定項目の初期値を記憶する初期値記憶手段と、初期値を変更する変更手段と、変更手段により変更された変更値を記憶する変更値記憶手段とを備えるものであって、変更手段により変更された設定項目を抽出する設定項目抽出手段と、設定項目抽出手段により抽出された設定項目について、変更値記憶手段に記憶された変更値と初期値記憶手段に記憶された初期値とを共に表示する表示手段と、を有しているので、変更された設定項目については初期値と変更値が表示手段に表示されるが、変更されない設定項目については何も表示手段に表示されない。そのため、本発明の電子装置によれば、ユーザは、表示手段に表示された設定項目の中から変更された設定項目及び変更値を探す必要がなく、設定が変更された装置の設定項目について迅速に理解することができる。また、本発明の電子装置によれば、表示手段に初期値と変更値が共に表示されるので、ユーザは初期値若しくは初期値からの変更量を容易に理解することができる。
【００１７】
また、本発明の電子装置によれば、変更手段により変更された設定項目の数を計数する計数手段と、計数手段の計数値が所定値以上になったときに警報する警報手段と、を有しているので、装置の動作についての設定項目が急に変えられ、装置が動作不良を生じることを防止できる。
【００１８】
また、本発明の電子装置によれば、表示手段に変更値を表示する表示条件を設定する表示条件設定手段と、設定項目抽出手段により抽出された設定項目又は当該設定項目の変更値が、表示条件設定手段により設定された表示条件に合致しないときに警告する警告手段と、を有するので、ユーザが誤って設定項目の変更値を設定したときに、装置の動作前に設定の誤りを発見することができ、利便性がよい。
【００１９】
また、本発明の電子装置によれば、変更手段により変更された設定項目を選択可能な選択手段と、選択手段により選択された設定項目の設定値について、初期値記憶手段に記憶された初期値に変更する初期化手段と、を有するので、変更値を初期値に簡単に戻すことができる。
【００２０】
また、本発明の電子装置によれば、変更値記憶手段が、変更値の履歴を記憶しており、表示手段が、変更値記憶手段に記憶された変更値の履歴を表示するものであるので、過去の設定項目や変更値を参考にして設定項目や初期値若しくは直前の変更値を変更することができる。
【００２１】
尚、上記電子装置が画像形成装置であって、表示手段が印刷手段である場合には、画像形成装置の動作について初期値より変更された設定項目及び変更値をユーザが迅速に理解することができる。
【００２２】
また、本発明の画像形成システムは、装置の動作についての各設定項目の初期値を記憶する初期値記憶手段と、初期値より変更された変更値を記憶する変更値記憶手段とを備える画像形成装置に、上位装置が通信手段を介して接続されたものであって、画像形成装置は、初期値より変更された設定項目を抽出する設定項目抽出手段と、設定項目抽出手段により抽出された設定項目について、変更値記憶手段に記憶された変更値と初期値記憶手段に記憶された初期値とを共に上位装置に通信手段を介して送信する第１送信手段と、を有しているので、変更された設定項目については初期値と変更値を上位装置に送信して表示させるが、変更されない設定項目については何も上位装置に送信せず表示させない。そのため、本発明の画像形成システムによれば、ユーザは、上位装置に表示された設定項目の中から変更された設定項目及び変更値を探す必要がなく、設定が変更された装置の設定項目について迅速に理解することができる。また、本発明の画像形成システムによれば、上位装置に初期値と変更値が共に表示されるので、ユーザは初期値若しくは初期値からの変更量を容易に理解することができる。
【００２３】
また、本発明の画像形成システムによれば、上位装置は、第１送信手段が送信した変更値と初期値とを受信する受信手段と、受信手段が受信した変更値と初期値とを記憶する記憶手段と、記憶手段に記憶された変更値若しくは初期値を変更する変更手段と、変更手段により変更された変更値を画像形成装置へ送信する第２送信手段と、を有しているので、ユーザは上位装置側から画像形成装置の動作についての設定項目及び初期値若しくは変更値を確認し、画像形成装置の設定項目や設定値を変更することができる。
【００２４】
また、本発明の画像形成システムによれば、変更値記憶手段が、変更値の履歴を記憶しており、第１送信手段が、変更値記憶手段に記憶された変更値の履歴を上位装置に送信するものであるので、ユーザは、上位装置側から、画像形成装置についての過去の設定項目や変更値を確認し、それを参考にして画像形成装置の設定項目や初期値若しくは直前の変更値を変更することができる。
【００２５】
また、本発明の画像形成システムによれば、上位装置は、表示手段に変更値を表示する表示条件を設定する表示条件設定手段と、表示条件設定手段が設定した表示条件を通信手段を介して画像形成装置へ送信する第３送信手段とを有し、画像形成装置が、設定項目抽出手段により抽出された設定項目又は当該設定項目の変更値が、上位装置から受信した表示条件に合致しないときに、上位装置に警告を通知する通知手段と、を有するので、ユーザが誤って設定項目の変更値を設定したときに、装置の動作前に設定の誤りを発見することができ、利便性がよい。
【発明を実施するための最良の形態】
【００２６】
次に、本発明に係る画像形成装置及び画像形成システムの一実施の形態について図面を参照して説明する。
【００２７】
＜画像形成システム＞
図１は、画像形成システム２００のブロック図である。
本実施形態の画像形成システム２００は、「電子装置」又は「画像形成装置」である複合機１に、「上位装置」であるクライアントパーソナルコンピュータ（以下「クライアントＰＣ」と略記する。）２０１Ａ，２０ＡＢ…が「通信手段」であるネットワーク２０２を介して通信可能に接続されている。ネットワーク２０２は、ＬＡＮなどで構成される。尚、複合機１とクライアントＰＣ２０１は、専用線を用いて１対１で接続してもよい。
【００２８】
＜複合機＞
図２は、図１に示す複合機１の外観斜視図である。
複合機１は、プリンタ機能、コピー機能、スキャナ機能、ファクシミリ機能など多機能を備えるものであって、画像形成ユニット２と画像読取ユニット１００とで外観を構成されている。複合機１は、複合機１の動作について変更された設定項目及び設定値を、ユーザパネル１２１に設けられた表示部１４１に表示し、若しくは、記録用紙に印刷したり、或いは、図１に示すクライアントＰＣ２０１に表示させるよう構成されている。
【００２９】
図３は、図２に示す複合機１の断面図である。
画像形成ユニット２は、給紙カセット６に収容された用紙を給紙ローラ１１によりピックアップし、その用紙を分離ローラ８とレジストローラ１２を介して画像形成部５へ搬送し、画像形成部５にて用紙に画像を形成した後、用紙を排紙トレイ４６に排出する。画像形成部５では、用紙がレジストローラ１２から感光ローラ２７と転写ローラ３０との間に搬送され、画像形成位置Ｐ１において画像を転写された後、定着ローラ４１と押圧ローラ４２との間で画像を定着される。このような画像形成ユニット２には、画像読取ユニット１００が第１のヒンジ軸Ｊ１により回動可能に保持され、排紙トレイ４６を覆っている。
【００３０】
画像読取ユニット１００は、原稿カバー１４０が第２のヒンジ軸Ｊ２を介して上部ケーシング１０１に回動可能に保持されており、原稿カバー１４０を開いてプラテンガラス１０７に原稿を載せ、上部ケーシング１０１の内部に収容されるイメージセンサ１１５によって原稿の画像を読み取るようになっている。また、画像読取ユニット１００は、周知のＡＤＦ機構１４５を備え、上述のイメージセンサ１１５を移動させずに、原稿供給トレイ１４７（図２参照。）から１枚づつ原稿を取り込んでイメージセンサ１１５の上方を通過させ、そこで原稿から画像を読み取れるようになっている。画像読取ユニット１００の正面側（図中＋Ｘ軸側）には、ユーザパネル１２１が設けられ、印刷動作条件等の設定や表示ができるようになっている。
【００３１】
図２に戻り、ユーザパネル１２１は、用紙枚数や用紙サイズなどを入力する入力キー１２５、コピーモード、ファクシミリモード、プリントモードを切り替えるモード切替キー１２８、ファクシミリデータの送信やコピーの開始を指示するスタートキー１２９、複合機１の動作を中止させるＳＴＯＰキー１３０、表示部１４１に表示されるカーソル位置を上下方向に移動させる上下キーと左右方向に移動させる左右キーを含むナビゲーションキー１３１、ナビゲーションキー１３１の中央に設けられて指令を確定させるＳＥＴキー１３２、設定した項目、設定値、データなどを消去するクリアキー１３３、複合機１の動作について設定するためのメニューを表示させるメニューキー１３４などの各種キーを備える。
【００３２】
また、ユーザパネル１２１は、実行しているモードや警告などを表示する表示灯１２６や表示部１４１などを備える。表示部１４１は、ＬＣＤなどの液晶表示パネルであって、より多くのデータを表示できるようにすることが望ましいが、本実施形態では、各種キーや表示灯１２６などを配置する関係上、表示部１４１には２ラインでデータを表示するＬＣＤを採用する。尚、表示部１４１は、２ライン表示用のＬＣＤでなくてもよく、５ライン表示用のＬＣＤ等であってもよい。上記複合機１は、図４に示す制御装置２１０を内蔵し、動作を制御される。
【００３３】
＜複合機の制御装置＞
図４は、図１に示す複合機１に内蔵される制御装置２１０のブロック図である。
複合機１の制御装置２１０は、中央処理装置（以下「ＣＰＵ」という。）２１１を中心に構成されている。ＣＰＵ２１１には、ＲＯＭ２１２、ＲＡＭ２１３、ＮＶＲＡＭ２１４、ＵＳＢインターフェース（以下「ＵＳＢＩ／Ｆ」と略記する。）２１７、パラレルインターフェース（以下「パラレルＩ／Ｆ」と略記する。）２１８、ＬＡＮインターフェース（以下「ＬＡＮＩ／Ｆ」と略記する。）２１９、メモリカードインターフェース（以下「メモリカードＩ／Ｆ」と略記する。）２２０、イメージセンサ１１５、画像形成部５、表示部１４１、ユーザパネル１２１などが接続されている。
【００３４】
ＣＰＵ２１１は、データの加工演算を行い、複合機１の動作を司るものである。
ＲＯＭ２１２は、読み出し専用の不揮発性メモリであって、各種プログラムやデータが格納されている。本実施形態では、設定変更表示制御プログラム２４０が格納されている。設定変更表示制御プログラム２４０については後述する。
ＲＡＭ２１３は、読み書き可能な揮発性メモリであって、ＣＰＵ２１１がプログラムを実行するときなどにデータを一時的に格納するものである。
ＮＶＲＡＭ２１４は、読み書き可能な不揮発性メモリであって、各種プログラムやデータが格納されている。本実施形態では、ＮＶＲＡＭ２１４には、初期値記憶手段２４１、現在値記憶手段２４２、変更履歴記憶手段２４３、表示条件記憶手段２４４が設けられている。
【００３５】
初期値記憶手段２４１は、複合機１の初期値を記憶するものである。「初期値」とは、複合機１の動作について標準的な設定項目及び設定値として予め複合機１に記憶されているものをいう。「初期値」は、初期値記憶手段２４１に、複合機１の機能（コピーモード、スキャナモード、プリンタモード、ファクシミリモードなど）毎に各々記憶されている。
現在値記憶手段２４２は、複合機１の現在値を記憶するものである。「現在値」とは、複合機１の動作について複合機１に現在設定されている設定項目及び設定値をいう。「現在値」は、現在値記憶手段２４２に、複合機１の機能（コピーモード、スキャナモード、プリンタモード、ファクシミリモードなど）毎に各々記憶されている。
変更履歴記憶手段２４３は、複合機１に設定された設定項目及び設定値の変更履歴を記憶するものである。変更履歴は、変更履歴記憶手段２４３に、複合機１の機能（コピーモード、スキャナモード、プリンタモード、ファクシミリモードなど）毎に各々記憶されている。変更履歴記憶手段２４３は、変更履歴を蓄積して記憶してもよいし、現在値から過去数回分までの変更履歴を蓄積して記憶するようにしてもよい。本実施形態では、後者を採用し、メモリ容量を確保している。
表示条件記憶手段２４４は、複合機１又はクライアントＰＣ２０１で設定された表示条件を記憶するものである。「表示条件」とは、複合機１の動作について変更された設定項目、初期値及び変更値（現在値）を、複合機１の表示部２４１又はクライアントＰＣ２０１のディスプレイ２６０（図５参照。）に表示し、又は、記録用紙に印刷する際の条件をいう。
【００３６】
尚、本実施形態では、現在値記憶手段２４２と変更履歴記憶手段２４３が「変更値記憶手段」を構成する。
【００３７】
ＵＳＢＩ／Ｆ２１７、パラレルＩ／Ｆ２１８、ＬＡＮＩ／Ｆ２１９は、接続ケーブルなどの接続手段を介して外部装置に接続され、データの入出力を行うものである。本実施形態では、ＬＡＮＩ／Ｆ２１９がネットワーク２０２に接続されている。
メモリカードＩ／Ｆ２２０は、メモリカードにデータを読み書きするものである。
【００３８】
＜クライアントＰＣの制御ブロック＞
次に、クライアントＰＣ２０１について説明する。図５は、図１に示すクライアントＰＣ２０１の制御ブロック図である。
クライアントＰＣ２０１は、周知のコンピュータであって、ＣＰＵ２５１、ＲＯＭ２５２、ＲＡＭ２５３、ＮＶＲＡＭ２５４、ＵＳＢＩ／Ｆ２５５、パラレルＩ／Ｆ２５６、ＬＡＮＩ／Ｆ２５７、メモリカードＩ／Ｆ２５８、操作部２５９、ディスプレイ２６０などを備える。
【００３９】
クライアントＰＣ２０１は、ＬＡＮ１Ｉ／Ｆ２５７がネットワーク２０２に接続され、複合機１や他のクライアントＰＣと相互にデータをやりとりできるようになっている。
また、ＮＶＲＡＭ２５４には、クライアントＰＣ２０１がネットワーク２０２を介して複合機１から受信した複合機１の動作についての設定項目、初期値、現在値、変更履歴を記憶する初期値・変更値記憶手段２６１が設けられている。
更に、ＲＯＭ２５２には、複合機１からネットワーク２０２を介して受信した複合機１の動作についての設定項目及び設定値を変更し、変更した設定項目及び設定値を複合機１にネットワーク２０２を介して送信する変更プログラム２６２が格納されている。また、ＲＯＭ２５２には、複合機１の動作について変更された設定項目及び設定値をクライアントＰＣ２０１のディスプレイ２６０に表示する際の表示条件を設定し、複合機１にネットワーク２０２を介して送信する表示条件設定プログラム２６３が格納されている。
【００４０】
ここで、本実施形態では、初期値・変更値記憶手段２６１が「記憶手段」を構成する。また、変更プログラム２６２が、「受信手段」、「第２送信手段」及び「変更手段」を構成する。更に、表示条件設定プログラム２６３が、「表示条件設定手段」及び「第３送信手段」を構成する。
【００４１】
＜設定変更表示制御プログラム＞
次に、上述した設定変更表示制御プログラム２４０について説明する。図６は、図１に示す複合機が実行する設定変更表示制御処理を示すフローである。
設定変更表示制御プログラム４０は、複合機１の変更された設定項目について「初期値」と「変更値（現在値、変更履歴）」を、複合機１の表示部１４１又はクライアントＰＣ２０１のディスプレイ２０６に表示し、或いは、記録用紙に印刷するものである。設定変更表示制御プログラム２４０は、複合機１がユーザパネル１２１又はクライアントＰＣ２０１を用いて複合機１の動作についての設定項目及び設定値を変更されたときをトリガとして実行される。
【００４２】
設定変更表示制御プログラム２４０は、先ず、ステップ１（以下「Ｓ１」と略記する。）において、設定の変更処理を行う。そして、Ｓ２において、変更表示条件設定処理を行う。そして、Ｓ３において、変更項目表示処理（ＥＷＳ）を行う。そして、Ｓ４において、変更項目表示処理（ＬＣＤ）を行う。そして、Ｓ５において、変更項目印字処理を行う。そして、Ｓ６において、変更警告処理（項目表示処理）を行う。そして、Ｓ７において、印字処理を行う。
【００４３】
＜設定の変更処理＞
先ず、図６のＳ１に示す設定の変更処理について説明する。図７は、図６に示す設定の変更処理を示すフローである。
設定の変更処理は、既存の設定項目及び設定値を、ユーザが設定した設定項目及び設定値に書き換えるものである。
【００４４】
すなわち、設定の変更処理は、Ｓ１０１において、複合機１のユーザパネル１２１から設定変更要求があるか否かを判断する。ユーザパネル１２１から設定変更要求があると判断した場合には（Ｓ１０１：ＹＥＳ）、設定項目及び設定値が重ねて変更されるとは考えられないので、そのままＳ１０３へ進む。一方、ユーザパネル１２１から設定変更要求がないと判断した場合には（Ｓ１０１：ＮＯ）、Ｓ１０２において、クライアントＰＣ２０１から設定変更要求があるか否かを判断する。クライアントＰＣ２０１から設定変更要求がないと判断した場合には（Ｓ１０２：ＮＯ）、ユーザが既存の設定項目と設定値を用いて複合機１に動作させることを意図していると考えられるので、ＮＶＲＡＭ値を書き換えずに処理を終了し、図６のＳ２に示す変更表示条件設定処理に移行する。
【００４５】
一方、クライアントＰＣ２０１から設定変更要求があると判断した場合には（Ｓ１０２：ＹＥＳ）、設定項目及び設定値が重ねて変更されるとは考えられないので、Ｓ１０３へ進む。そして、Ｓ１０３において、要求された設定項目のＮＶＲＡＭ値を書き換える。その後、処理を終了し、図６のＳ２に示す変更表示条件設定処理に移行する。
【００４６】
＜変更表示条件設定処理＞
図８は、図６に示す変更表示条件設定処理を示すフローである。
変更表示条件設定処理は、複合機１に表示条件を設定するものである。
【００４７】
変更表示条件設定処理は、先ずＳ２０１において、クライアントＰＣ２０１から表示条件設定要求があるか否かを判断する。クライアントＰＣ２０１から表示条件設定要求があると判断した場合には（Ｓ２０１：ＹＥＳ）、Ｓ２１０において、表示条件を設定した後、処理を終了し、図６のＳ３へ進む。
【００４８】
これに対して、クライアントＰＣ２０１から表示条件設定要求がないと判断した場合には（Ｓ２０１：ＮＯ）、Ｓ２０２において、表示・印字条件設定メニューに入ったか否かを判断する。表示・印字条件設定メニューに入っていないと判断した場合には、ユーザが変更された設定項目及び設定値を表示する意図がないと考えられるので、表示条件を設定せずに処理を終了し、図６のＳ３に示す変更項目表示処理（ＥＷＳ）に移行する。
【００４９】
一方、表示・印字条件設定メニューに入ったと判断した場合には、ユーザが変更された設定項目及び設定値を表示する意図があると考えられるので、ユーザに複合機１を用いて表示条件を設定させる処理を行う。
【００５０】
複合機１を用いて表示条件を設定させる処理としては、具体的には、Ｓ２０３において、ＳＴＯＰキー１３０が押されたか否かを判断する。ＳＴＯＰキー１３０が押されたと判断した場合には（Ｓ２０３：ＹＥＳ）、ユーザが表示条件の設定を止めることを意味するので、そのまま処理を終了し、図６のＳ３に示す変更項目表示処理（ＥＷＳ）に移行する。一方、ＳＴＯＰキー１３０が押されていないと判断した場合には（Ｓ２０３：ＮＯ）、Ｓ２０４へ進み、ＳＥＴキー１３２が押されたか否かを判断する。ＳＥＴキー１３２が押されていないと判断した場合には（Ｓ２０４：ＮＯ）、Ｓ２０３へ戻り、Ｓ２０３以降の処理を繰り返す。一方、ＳＥＴキー１３２が押されたと判断した場合には（Ｓ２０４：ＹＥＳ）、ユーザが表示条件を具体的に設定する意図があるので、Ｓ２０５において、表示条件について現在の設定を示す初期画面を表示する。
【００５１】
そして、Ｓ２０６において、ＳＴＯＰキー１３０が押されたか否かを判断する。ＳＴＯＰキー１３０が押されたと判断した場合には（Ｓ２０６：ＹＥＳ）、ユーザが表示条件の設定を止めることを意味するので、そのまま処理を終了し、図６のＳ３に示す変更項目表示処理（ＥＷＳ）に移行する。一方、ＳＴＯＰキー１３０が押されていないと判断した場合には（Ｓ２０６：ＮＯ）、Ｓ２０７において、ＳＥＴキー１３２が押されたか否かを判断する。ＳＥＴキー１３２が押されたと判断した場合には（Ｓ２０７：ＹＥＳ）、ユーザが画面表示された表示条件を現在の表示条件に設定することを意味するので、Ｓ２１０において、画面表示されている表示条件を現在の表示条件として設定する。その後、処理を終了し、図６のＳ３に示す変更項目表示処理（ＥＷＳ）に移行する。
【００５２】
一方、ＳＥＴキー１３２が押されていないと判断した場合には（Ｓ２０７：ＮＯ）、Ｓ２０８において、ナビゲーションキー１３１に含まれる上下キーが押されたか否かを判断する。ナビゲーションキー１３１に含まれる上下キーが押されていないと判断した場合には（Ｓ２０８：ＮＯ）、ユーザが表示条件の設定を続行するか否か、及び、ユーザがいずれの表示条件を選択するかが不明であるため、Ｓ２０５に戻り、Ｓ２０５以降の処理を実行する。一方、ナビゲーションキー１３１に含まれる上下キーが押されたと判断した場合には（Ｓ２０８：ＹＥＳ）、ユーザが画面表示された表示条件と異なる表示条件を表示させたいことを意味するので、Ｓ２０９において、表示条件についての設定値を変えた選択画面を表示する。その後、Ｓ２０６に戻る。よって、ユーザは、ナビゲーションキー１３１を操作すれば、任意の設定条件を表示させることが可能である。その後、ある表示条件を画面表示させた状態で、ＳＴＯＰキー１３０が押されず（Ｓ２０６：ＮＯ）、ＳＥＴキー１３２が押された場合には（Ｓ２０７：ＹＥＳ）、Ｓ２０９において、画面表示された表示条件を現在の表示条件として設定する。その後、処理を終了し、図６のＳ３に示す変更項目表示処理（ＥＷＳ）に移行する。
【００５３】
＜変更項目表示処理（ＥＷＳ）＞
次に、図６のＳ３に示す変更項目表示処理（ＥＷＳ）について説明する。図９は、図６に示す変更項目表示処理を示すフローである。
変更項目表示処理（ＥＷＳ）は、変更された設定項目、初期値及び変更値（現在値、変更履歴）を、クライアントＰＣ２０１に表示させるとともに、ユーザが選択した項目について初期化するものである。
【００５４】
変更項目表示処理（ＥＷＳ）は、先ずＳ３０１において、クライアントＰＣ２０１（Ｗｅｂ）から変更項目表示要求があるか否かを判断する。クライアントＰＣ２０１（Ｗｅｂ）から変更項目表示要求がないと判断した場合には（Ｓ３０１：ＮＯ）、ユーザが変更された変更項目及び設定値をクライアントＰＣ２０１に表示させる意図がないので、そのまま処理を終了し、図６のＳ４に示す変更項目表示処理（ＬＣＤ）に移行する。
【００５５】
一方、クライアントＰＣ２０１（Ｗｅｂ）から変更項目表示要求があると判断した場合には（Ｓ３０１：ＹＥＳ）、ユーザがクライアントＰＣ２０１に変更された設定項目及び設定値を表示させる意図があるので、Ｓ３０２において、表示する項目を決定する。そして、Ｓ３０３において、変更項目と初期値と現在の値とをあわせたｈｔｍｌ形式のデータを作成してクライアントＰＣ２０１に送信し、クライアントＰＣ２０１に変更項目を初期値と現在の値で表示する。
【００５６】
そして、Ｓ３０４において、ユーザにより初期化項目が選択され、Ｓｕｂｍｉｔされたか否かを判断する。ユーザにより初期化項目が選択されず、Ｓｕｂｍｉｔされていないと判断した場合には（Ｓ３０４：ＮＯ）、ユーザが何れの項目についても設定値を初期化することを望んでいないことを意味するので、そのまま処理を終了し、図６のＳ４に示す変更項目表示処理（ＬＣＤ）に移行する。一方、ユーザにより初期化項目が選択され、Ｓｕｂｍｉｔされたと判断した場合には（Ｓ３０４：ＹＥＳ）、ユーザが特定の項目について初期化する意図があることを意味するので、Ｓ３０５において、初期化が必要な項目に対し、すべてＮＶＲＡＭ２１４へ初期値を書き込む。その後、処理を終了し、図６のＳ４に示す変更項目表示処理（ＬＣＤ）に移行する。
【００５７】
＜変更項目表示処理（ＬＣＤ）＞
図１０は、図６に示す変更項目表示処理（ＬＣＤ）を示すフローである。
変更項目表示処理（ＬＣＤ）は、変更された設定項目及び設定値を複合機１の表示部１４１に表示するとともに、ユーザが選択した項目について初期化するものである。
【００５８】
変更項目表示処理（ＬＣＤ）は、先ずＳ４０１において、複合機１のユーザパネル１２１から変更項目表示要求があるか否かを判断する。複合機１のユーザパネル１２１から変更項目表示要求がないと判断した場合には（Ｓ４０１：ＮＯ）、ユーザが複合機１の表示部１４１に変更された設定項目及び設定値を表示させる意図がないことを意味するので、そのまま処理を終了し、図６のＳ５に示す変更項目印字処理に移行する。
【００５９】
一方、複合機１のユーザパネル１２１から変更項目表示要求があると判断した場合には（Ｓ４０１：ＹＥＳ）、ユーザが複合機１の表示部１４１に変更された設定項目及び設定値を表示させる意図があることを意味するので、Ｓ４０２において、２ラインのみ表示可能な表示部１４１に変更された設定項目及び設定値を見やすく表示できるように、、初期値と異なる項目のうち、表示する項目を設定する。そして、Ｓ４０３において、複合機１の表示部１４１に変更項目を初期値と現在値で表示する。そして、Ｓ４０４において、ナビゲーションキー１３１に含まれる上下キーが押下されたか否かを判断する。ナビゲーションキー１３１に含まれる上下キーが押下されたと判断した場合には（Ｓ４０４：ＹＥＳ）、ユーザが他の変更項目及びその初期値と現在値を見たがっていることを意味するので、Ｓ４０２に戻り、他の変更された設定項目を表示する項目として決定する。そして、Ｓ４０３以降の処理を続行する。
【００６０】
一方、ナビゲーションキー１３１に含まれる上下キーが押下されていないと判断した場合には（Ｓ４０４：ＮＯ）、Ｓ４０５において、ＳＥＴキー１３２が押下されたか否かを判断する。ＳＥＴキー１３２が押下されていないと判断した場合には（Ｓ４０５：ＮＯ）、ユーザが表示部１４１に表示されている項目については初期化する意図がないと考えられるので、そのままＳ４０７へ進む。一方、ＳＥＴキー１３２が押下されたと判断した場合には（Ｓ４０５：ＹＥＳ）、ユーザが複合機１の表示部１４１に表示されている項目について初期化する意図があると考えられるので、Ｓ４０６において、初期化対象項目に設定した後、Ｓ４０７へ進む。そして、Ｓ４０７において、クリアキー１３３が押下されたか否かを判断する。クリアキー１３３が押下されたと判断した場合には（Ｓ４０７：ＹＥＳ）、ユーザが初期化対象項目として選択した項目について初期化する意図があると考えられるので、Ｓ４０８において、全ての初期化対象項目に対し、初期値をＮＶＲＡＭ２１４に書き込む。
【００６１】
一方、クリアキー１３３が押下されていないと判断した場合には（Ｓ４０７：ＮＯ）、Ｓ４０９において、一定時間が経過したか否かを判断する。一定時間が経過していないと判断した場合には（Ｓ４０９：ＮＯ）、ユーザが初期化する意図があると考えられるので、Ｓ４０３へ戻り、Ｓ４０３以降の処理を実行する。一方、一定時間が経過したと判断した場合には（Ｓ４０９：ＹＥＳ）、ユーザが初期化する意図がないと考えられるので、初期化設定項目を初期化することなく処理を終了する。その後、図６のＳ５に示す変更項目印字処理に移行する。
【００６２】
＜変更項目印字処理＞
図１１は、図６に示す変更項目印字処理を示すフローである。
変更項目印字処理は、変更された設定項目及び変更値を印刷するときに基となるデータを作成するものである。
【００６３】
変更項目印字処理は、先ずＳ５０１において、複合機１のユーザパネル１２１から変更項目印刷要求があるか否かを判断する。ここで、複合機１の表示部１４１に変更された設定項目及び設定値を表示させる場合には、表示部１４１に表示可能な情報量が少ないため（本実施形態では、２ライン分）、変更された設定項目及び設定値を表示部１４１上で確認しにくく、印刷する必要性が高いと考えられる。しかし、クライアントＰＣ２０１のディスプレイ２６０に変更された設定項目及び設定値を表示させる場合には、変更された設定項目及び設定値をまとめてクライアントＰＣ２０１のディスプレイ２６０に表示することが可能であるため、変更された設定項目及び設定値を印刷する必要性が低いと考えられる。そのため、Ｓ５０１では、ユーザパネル１２１から変更項目印刷要求があるか否かを判断し、クライアントＰＣ２０１から変更項目印刷要求があるか否かを判断していない。
【００６４】
複合機１のユーザパネル１２１から変更項目印刷要求がないと判断した場合には（Ｓ５０１：ＮＯ）、ユーザが変更された設定項目及び設定値を印刷する意図がないので、そのまま処理を終了し、図６のＳ６に示す変更警告処理（項目表示処理）に移行する。
【００６５】
一方、複合機１のユーザパネル１２１から変更項目印刷要求があると判断した場合には（Ｓ５０１：ＹＥＳ）、ユーザが変更された設定項目及び設定値を印刷する意図があるので、Ｓ５０２において、初期値と異なる項目のうち、印字する項目を決定する。そして、Ｓ５０３において、印字するデータを作り出す。複合機１は、印字するデータを作り出した時点で印字要求が発生する。その後、処理を終了し、図６のＳ６に示す変更警告処理（項目表示処理）に移行する。
【００６６】
＜変更警告処理（項目表示処理）＞
図１２は、図６に示す変更警告処理（項目表示処理）を示すフローである。
変更警告処理（項目表示処理）は、変更された設定項目や設定値が適正でないときに、ユーザにその旨を警告するものである。
【００６７】
変更警告処理（項目表示処理）は、先ずＳ６０１において、変更項目が全体の半分以上あるか否かを判断する。変更項目の数の確認は、ユーザによる設定項目及び設定値の変更が複合機１に悪影響を与えないようにするために行われる。この目的を達成しうるのであれば、変更項目数のしきい値は、全体の半分に限定されず、全体の３分の１や全体の４分の３などであってもよい。
【００６８】
変更項目が全体の半分以上あると判断した場合には（Ｓ６０１：ＹＥＳ）、設定項目及び設定値が必要以上に変更されて複合機１の動作に悪影響を及ぼす恐れがあるので、Ｓ６０２において、表示条件に従って警告表示を出す。その後、変更項目表示処理（ＬＣＤ）と変更項目印字処理を行う。変更項目表示処理（ＬＣＤ）と変更項目印字処理は、上述した図６のＳ４、Ｓ５と同様の処理であるので、説明を割愛する。
【００６９】
これに対して、変更項目が全体の半分以上ないと判断した場合には（Ｓ６０１：ＮＯ）、ユーザの意図に従って変更された設定項目と設定値を複合機１の表示部１４１に表示したか否かを確認するために、Ｓ６０３において、表示条件に合致しているか否かを判断する。表示条件に合致していると判断した場合には（Ｓ６０３：ＹＥＳ）、ユーザの意図に従って変更された設定項目及び設定値を表示しており警告を出す必要がないので、直ちに処理を終了する。そして、図６のＳ７に示す印字処理に移行する。
【００７０】
一方、表示条件に合致していないと判断した場合には（Ｓ６０３：ＮＯ）、Ｓ６０４において、ユーザの意図に従って変更された設定項目及び設定値を表示するために、表示条件に従った項目に関する設定データを整理する。そして、Ｓ６０５において、表示された設定項目及び設定値を表示条件に従って変更項目を整理したことをユーザに認識させるために、表示条件に従った警告表示を出す。そして、上述した変更項目表示処理（Ｓ４）と変更項目印字処理（Ｓ５）を行う。その後、処理を終了し、図６のＳ７に示す印字処理に移行する。
【００７１】
ここで、変更警告処理（項目表示処理）について、具体的に説明すると、例えば、コピーモードが選択されていて、ユーザが設定項目として「解像度」、「部数」、「送信先」を選択して設定値を変更した場合には、「解像度」、「部数」は、「表示条件」としての「コピー関連の設定項目」に該当するが、「送信先」は該当しないので、「送信先」は、今回の設定項目から削除すると共に、「ＣＯＰＹの設定が変更されています。確認下さい。」とのメッセージを表示部１４１に表示してその旨を警告する。
またこの場合において、例えば、「部数」として３桁が入力された場合には、通常この種のパーソナルユースの複合機１では、「表示条件」としての「コピー関連の設定項目」における部数としては、２桁以内が多いので、「異常な設定値が設定されました。確認下さい。」とのメッセージを表示部１４１に表示してその旨を警告する。
【００７２】
＜印字処理＞
図１２は、図６に示す印字処理を示すフローである。
印字処理は、変更された設定項目及び変更値を記録用紙に印字するものである。
【００７３】
印字処理は、先ずＳ７０１において、印字要求があるか否かを判断する。印字要求がないと判断した場合には（Ｓ７０１：ＮＯ）、ユーザが変更された設定項目及び設定値を印字する意図がないので、そのまま処理を終了する。これに対して、印字要求があると判断した場合には（Ｓ７０１：ＹＥＳ）、ユーザが変更された設定項目及び設定値を印字する意図があるので、Ｓ７０２において印字をした後、処理を終了する。印字処理が終了した時点で、図６に示す設定変更表示制御処理が終了する。
【００７４】
尚、本実施形態では、設定項目表示処理（ＥＷＳ）のＳ３０２に示す処理と設定項目表示処理（ＬＣＤ）のＳ４０２に示す処理が「設定項目抽出手段」を構成する。また、本実施形態では、設定項目表示処理（ＥＷＳ）のＳ３０３に示す処理と設定項目表示処理（ＬＣＤ）のＳ４０３に示す処理と印字処理のＳ７０２に示す処理が「表示手段」を構成する。また、本実施形態では、印字処理のＳ７０２に示す処理が「印刷手段」を構成する。
変更警告処理（項目表示処理）のＳ６０１に示す処理が「計数手段」を構成する。また、本実施形態では、変更警告処理（項目表示処理）のＳ６０２に示す処理が「警報手段」を構成する。また、本実施形態では、表示条件設定処理のＳ２０９に示す処理が「表示条件設定手段」を構成する。また、本実施形態では、変更警告処理（項目表示処理）のＳ６０３、Ｓ６０４に示す処理が「警告手段」と「通知手段」を構成する。また、本実施形態では、変更項目表示処理（ＬＣＤ）のＳ４０６に示す処理が「選択手段」を構成する。また、本実施形態では、変更項目表示処理（ＬＣＤ）のＳ４０８に示す処理が「初期化手段」を構成する。また、本実施形態では、変更項目表示処理（ＥＷＳ）のＳ３０３に示す処理が「第１送信手段」を構成する。
【００７５】
＜複合機の動作説明＞
次に、複合機１及び画像形成システム２００の動作について説明する。
複合機１は、複合機１の動作について変更された設定項目及び設定値を、基本的には、複合機１のユーザパネル１２１を用いて設定変更がなされた場合には、複合機１の表示部１４１に表示し、クライアントＰＣ２０１を用いて設定変更がなされた場合には、クライアントＰＣ２０１のディスプレイ２６０に表示する。以下、この場合分けに従って、複合機１の動作及び画像形成システム２００の動作を説明する。
【００７６】
＜複合機の動作についての設定項目及び設定値をユーザパネルで変更する場合＞
ここでは、ユーザ甲が複合機１を用いて原稿をコピーする場合を例に挙げて説明する。
【００７７】
ユーザ甲は、原稿を読み込んでコピーを行うときに、ユーザパネル１２１を用いてコピー関連の設定項目や設定値を任意に変更する（図６のＳ１参照。）。ユーザ甲が、表示条件を設定すると（図６のＳ２参照。）、複合機１は、表示条件に従って複合機１の表示部１４１に変更された設定項目と設定値を表示させる（図６のＳ４参照）。この場合に、ユーザ甲が、変更された設定項目と設定値を記録用紙に印刷することを希望すれば、印刷するためのデータを作成しておく（図６のＳ５参照。）。その後、複合機１は、変更された設定項目及び設定値を表示部１４１に適正に表示しているか否かを確認し、適正に表示していなければ、ユーザ甲に警告を発し、その後に、変更された設定項目及び設定値を表示し直す（図６のＳ６参照。）。これに加えて、ユーザ甲が、変更された設定項目及び設定値の印刷を希望する場合には、複合機１は、変更された設定項目と設定値を記録用紙に印刷する（図６のＳ７参照。）。この一連の変更項目表示制御動作について、以下に具体的に説明する。
【００７８】
ユーザ甲は、複合機１の設置場所へ行き、モード切替キー１２８を押してコピー機能を選択した後、複合機１に原稿をセットする。ユーザ甲は、ユーザパネル１２１のメニューキー１３４を押下してメニューを一覧表示させ、その一覧の中からコピーに関連する設定項目及び設定値を表示部１４１に表示させる項目を選択してＳＥＴキー１３２を押下する。すると、コピーに関連する設定項目及び設定値を設定するための画面が複合機１の表示部１４１に表示される。そこで、ユーザ甲は、コピーについての設定項目及び設定値を任意に設定する。
【００７９】
具体的には、例えば、ユーザ甲が、ナビゲーションキー１３１を用いて、図１４に示すように表示部１４１に「ＱＵＡＬＩＴＹ」を表示させ、ＳＥＴキー１３２を押下すると、表示部１４１に「ＲＥＳＯＬＵＴＩＯＮ」が表示される。ユーザ甲がＳＥＴキー１３２を押下すると、図１４に示すように、複合機１に現在設定されている解像度（例えば「６００ｄｐｉ」）がアスタリスクマーク「＊」と共に表示される。ユーザ甲が、ナビゲーションキー１３１を操作すると、コピー機能で実行可能な解像度が順次表示される。ユーザ甲が、現在設定されている解像度「６００ｄｐｉ」を「１２００ｄｐｉ」に変更したい場合には、ナビゲーションキー１３１を操作して表示部１４１に解像度が「１２００ｄｐｉ」である画面を表示させ、ＳＥＴキー１３２を押下する。これにより、表示部１４１に表示される解像度「１２００ｄｐｉ」の横にアスタリスクマーク「＊」が表示され、解像度が「１２００ｄｐｉ」に変更されたことをユーザ甲に知らせる。
【００８０】
ユーザ甲が、コピーについての設定項目及び設定値に関し、最終セットした時点で、複合機１の制御装置２１０は、ユーザパネル１２１から設定変更要求があったと判断し、ＮＶＲＡＭ２１４の現在値記憶手段２４２に記憶されている既存の設定項目及び設定値（例えば、解像度＝６００ｄｐｉ）を、ユーザ甲が設定した設定項目と設定値（例えば、解像度＝１２００ｄｐｉ）に置き換えて記憶する（図７のＳ１０１：ＹＥＳ、Ｓ１０３参照。）。このとき、変更履歴記憶手段２４３についても、ユーザ甲が変更した設定項目及び設定値を書き込み、それと同時に最も古い設定値を消去する。
【００８１】
ユーザ甲は、コピーについての設定項目及び設定値を変更したら、表示条件を設定する（図６のＳ２参照。）。
【００８２】
ユーザ甲は、複合機１のメニューキー１３４を押下することにより、表示部１４１にメニュー一覧を表示させる。ユーザ甲は、ナビゲーションキー１３１を用いて表示部１４１に図１５に示す表示条件設定画面を表示させる。これにより、複合機１の制御装置２１０は、ユーザ甲が表示・印字条件設定メニューに入ったと判断する（図８のＳ２０１：ＮＯ、Ｓ２０２：ＹＥＳ参照。）。ユーザ甲が、図１５に表示条件設定画面を表示させた状態でＳＥＴキー１３２を押下すると、例えば、図１６に示すように、複合機１の表示部１４１に現在設定されている表示条件（ここでは、「コピー関連の変更により表示する。」）が、現在の設定値であることを示すアスタリスクマーク「＊」とともに表示される。
【００８３】
ユーザ甲は、表示条件を他の表示条件に変更したければ、ナビゲーションキー１３１に含まれる上下キーを操作し、図１６に示すように表示条件を表示部１４１に順次表示させる。表示条件は、ユーザ甲が変更された設定項目及び設定値を確認する際の利便性や、設定変更が複合機１に与える影響を考慮して予め複合機１に記憶されている。本実施形態では、表示条件として、例えば、「コピー関連の変更により表示する。」、「プリンタ関連の変更により表示する。」、「スキャナ関連の変更により表示する。」、「画質関連の変更により表示する。」、「速度関連の変更により表示する。」、「設定に矛盾があるときに表示する。」、「現在のモードと関連しない変更により表示する。」、「同じ項目を何度も変更したときに表示する。」が記憶されている。
【００８４】
「コピー関連の変更により表示する。」、「プリンタ関連の変更により表示する。」、「スキャナ関連の変更により表示する。」とは、機能に応じたオーソドックスな項目について変更値を表示させるための項目である。
「画質関連の変更により表示する。」、及び、「速度関連の変更により表示する。」とは、複合機１の性能について変更値を表示させるための項目である。
【００８５】
「設定に矛盾があるときに表示する。」とは、変更された設定項目及び設定値の間に矛盾があるときに、変更された設定項目及び設定値を表示部１４１等に表示させるための項目である。「設定に矛盾がある」とは、例えば、複合機１の給紙カセット６（Ｔｒａｙ２）にＯＨＰ及び葉書をセットできない場合に、トレイの項目に「Ｔｒａｙ２」を設定しつつ、用紙タイプの項目に「ＯＨＰ」を設定したときや、トレイの項目に「Ｔｒａｙ２」を設定しつつ、用紙サイズの項目に「葉書」を設定したときなどを指す。
「現在のモードと関連しない変更により表示する。」とは、モード切替キー１２８で設定したモードに関連しない設定項目及び設定値が変更されたときに、変更された設定項目及び設定値を表示部１４１等に表示させるための項目である。「現在のモードと関連しない変更」とは、例えば、現在のモードが「コピーモード」であるときに、ファクシミリ関連の設定が変更された場合を指す。
「同じ項目を何度も変更したときに表示する。」とは、項目の変更回数を計測しておき、計測回数が所定回数を超えたときに、変更された設定項目及び設定値を表示部１４１等に表示させるための項目である。
【００８６】
本実施形態では、表示条件の設定を簡易にするために、表示条件を１個だけ設定可能にしている。しかし、表示条件を複数設定するようにして、より多くの変更項目や変更値に関する情報をユーザに提供するようにしてもよい。
【００８７】
ユーザ甲が、既存の設定値で表示条件を設定する場合には、図１７に示すように、複合機１の表示部１４１に「コピー関連の変更により表示する。」を表示させた状態でＳＥＴキー１３２を押下すれば、表示条件「コピー関連の変更により表示する。」を表示条件記憶手段２４４に改めて記憶させ、表示条件をに設定することが可能である（図８のＳ２０２：ＹＥＳ、Ｓ２０３：ＮＯ、Ｓ２０４：ＹＥＳ、Ｓ２０５、Ｓ２０６：ＮＯ、Ｓ２０７：ＹＥＳ、Ｓ２１０参照。）。
【００８８】
尚、ユーザ甲が、例えば、既存の設定値「コピー関連の変更により表示する。」を異なる表示条件「スキャナ関連の変更により表示する。」に変更したい場合には、ナビゲーションキー１３１を操作して、図１８に示すように表示部１４１に表示条件「スキャナ関連の変更により表意する。」を表示させ、その状態でＳＥＴキー１３２を押下すれば、表示条件記憶手段２４４に記憶されている既存の表示条件「コピー関連の変更により表示する。」を、ユーザ甲が希望する表示条件「スキャナ関連の変更により表示する。」に書き換え、表示条件を変更して設定することができる。このとき、新たに選択された表示条件の横には、現在の設定値を表すアスタリスクマーク「＊」が表示される（図８のＳ２０６：ＮＯ、Ｓ２０７：ＮＯ、Ｓ２０８：ＹＥＳ、Ｓ２０９、Ｓ２１０参照。）。
【００８９】
ユーザ甲が表示条件の設定を完了すると、複合機１の制御装置２１０は、複合機１の表示部１４１に「初期値」と「現在値」を表示する設定項目を決定するとともに、ユーザ甲が希望する場合には、特定の設定項目について初期化を行う（図６のＳ４参照。）。
【００９０】
ユーザ甲が、メニューキー１３４を押下し、例えば、図１９に示すように「Ｉｎｆｏｒｍａｔｉｏｎ」の画面を表示させ、「Ｉｎｆｏｒｍａｔｉｏｎ」の画面の中から「変更表示」を選択してＳＥＴキー１３２を押下すると、複合機１の制御装置２１０は、ユーザパネル１２１から設定項目表示要求があると判断する（図１０のＳ４０１：ＹＥＳ参照。）。この場合に、複合機１の制御装置２１０は、初期値記憶手段２４１に記憶されている「初期値」と、現在値記憶手段２４２に記憶されている「現在値」とを比較し、「初期値」と「現在値」とが異なる設定項目をピックアップし、表示部１４１に２ライン以内で変更された設定項目及びその初期値と現在値を表示できるように、表示項目を決定する（図１０のＳ４０２参照。）。
【００９１】
決定した表示項目は、ナビゲーションキー１３１の操作に従って順次表示部１４１に表示される。例えば、ユーザ甲が、設定項目「解像度」、「エミュレーション」、「トレイ」の設定値を初期値から変更させた場合には、図１９に示すように、設定項目「解像度」について初期値「６００ｄｐｉ」と現在値「１２００ｄｐｉ」とが表示され、その後、ナビゲーションキー１３１を操作すると、他の設定項目「エミュレーション」について初期値「ＡＵＴＯ」と現在値「ＰＳ」が表示され、さらにその後にナビゲーションキー１３１を操作すると、設定項目「トレイ」について初期値「ＡＵＴＯ」と現在値「Ｔｒａｙ２」が表示される（図１０のＳ４０３、Ｓ４０４：ＹＥＳ、Ｓ４０２参照。）。
【００９２】
このとき、ユーザ甲が、ある設定項目について画面表示させた状態でＳＥＴキー１３２を押下すると、複合機１の制御装置２１０は、画面表示された設定項目を初期化する項目（初期化設定項目）に設定する。例えば、「トレイ」の現在値「Ｔｒａｙ２」を初期値「ＡＵＴＯ」に初期化したければ、図２０に示すように、表示部１４１に「トレイ」の「初期値」と「現在値」を表示させた状態でＳＥＴキー１３２を押下すると、複合機１の制御装置２１０は、「トレイ」を初期化設定項目としてＲＡＭ２１３に記憶する。このとき、複合機１の制御装置２１０は、設定項目「トレイ」が初期化設定項目として設定されたことをユーザ甲に知らせるために、設定項目「トレイ」の横にアスタリスクマーク「＊」を表示する（図１０のＳ４０３、Ｓ４０４：ＮＯ、Ｓ４０５：ＹＥＳ、Ｓ４０６参照。）。
【００９３】
ユーザ甲が、初期化設定項目を設定し、クリアキー１３３を押下すると、複合機１の制御装置２１０は、ＲＡＭ２１３に記憶された全ての初期化設定項目に対し、「初期値」をＮＶＲＡＭ２１４の現在値記憶手段２４２と変更履歴記憶手段２４３に書き込む（図１０のＳ４０７：ＹＥＳ、Ｓ４０８参照。）。全ての初期化設定項目に対し、「初期値」をＮＶＲＡＭ２１４に書き込んだ時点で、複合機１の制御装置２１０は、例えば、図２１に示すように、複合機１の表示部１４１に「○個の設定が初期化されました。」とメッセージを表示し、初期化設定項目について初期化が完了したことをユーザ甲に知らせる。
【００９４】
尚、ユーザ甲がいずれの設定項目についても初期化を望まない場合には、ユーザ甲は、ナビゲーションキー１３１に含まれる上下キー、ＳＥＴキー１３２、クリアキー１３３の何れも操作せずに一定時間放置すれば、自動的に変更項目表示処理（ＬＣＤ）を終了させることができる（図１０のＳ４０３、Ｓ４０４：ＮＯ、Ｓ４０５：ＮＯ、Ｓ４０７：ＮＯ、Ｓ４０９：ＹＥＳ参照。）。
【００９５】
複合機１の表示部１４１は、２ラインしか表示されず、図１９に示すように、限られた設定項目（例えば、１個の設定項目）についてしか「初期値」と「変更値」を見ることができない。そのため、変更された設定項目の数が多い場合には、変更された設定項目及び設定値を複合機１の表示部１４１で確認するのに時間がかかる。そのような場合には、ユーザ甲は、複合機１に変更項目印刷要求をすれば、複合機１に、変更された設定項目及び設定値を記録用紙に印刷するためのデータを自動作成させることができる（図６のＳ５参照。）。
【００９６】
ユーザ甲が、複合機１のメニューキー１３４を押下してメニュー一覧を表示部１４１に表示させ、「変更項目印字」の項目を選択すると、複合機１の制御装置２１０は、ユーザパネル１２１から変更項目印刷要求があると判断する（図１１のＳ５０１：ＹＥＳ参照。）。この場合、複合機１の制御装置２１０は、初期値記憶手段２４１に記憶されている「初期値」と現在値記憶手段２４２に記憶されている「現在値」とを比較して、「初期値」と「現在値」が異なる設定項目をピックアップする。そして、複合機１の制御装置２１０は、ピックアップした設定項目のうち、例えば、ユーザが実行しようとしている機能に関連する設定項目を印字する項目として決定する（図１１のＳ５０２参照。）。そして、印字する項目として決定した設定項目について、印字するデータを作り出す（図１１のＳ５０３参照。）。
【００９７】
より具体的には、ユーザ甲がコピー機能を選択している場合には、複合機１の制御装置２１０は、「初期値」と「現在値」とが異なる設定項目の中から、コピー関連の設定項目（例えば、「解像度」、「エミュレーション」、「トレイ」等）を選択する。複合機１の制御装置２１０は、ユーザ甲が過去の設定を参考にして設定変更しやすいように、「初期値」と「現在値」を初期値記憶手段２４１と現在値記憶手段２４２からそれぞれ読み出す他に、「変更履歴」を変更履歴記憶手段２４３から読み出し、「初期値」、「現在値」、過去数回分の「変更履歴」を含むデータを作成する。本実施形態では、変更履歴として、１回前の設定値と２回前の設定値を用いる。複合機１は、印字するデータを作り終えた時点で、印字要求が発生する。
【００９８】
上記のようにユーザ甲は、複合機１の動作についての設定項目及び設定値を変更し、その変更内容を表示部１４１に表示させて確認したり、複合機１に印字するデータを作成させるが、ユーザ甲の設定変更が適正でない場合には、複合機１が動作不良を起こしたり、記録用紙やトナーなどの資源を無駄にする恐れがある。そのため、複合機１は、ユーザ甲が指定した動作（コピー）を実行する前に、ユーザ甲による設定変更が適正であるか否かを判断し、適正でない場合には、警告を発生する（図６のＳ６参照。）。
【００９９】
例えば、ユーザ甲が表示条件として「コピー関連の変更により表示する。」を選択した場合には、ユーザ甲がユーザパネル１２１で変更した設定項目の数が、コピー関連項目全体の半分以上であると、ユーザ甲が設定変更を必要以上に行い、複合機１のコピー動作に何らかの悪影響を及ぼす恐れがある。そこで、この場合には、複合機１の制御装置２１０は、図２２に示すように、表示部１４１に「変更項目が半数以上です。確認ください。」と表示し、ユーザ甲の変更項目に対する注意を喚起する（図１２のＳ６０１：ＹＥＳ、Ｓ６０２参照。）。そして、変更項目について「初期値」と「現在値」を表示部１４１に再度表示し、初期化を促す（図１２のＳ４参照。）。また、ユーザ甲が複合機１に変更項目印刷要求をした場合には、複合機１の制御装置２１０は、印字データを作り直し、再度印字要求を再発生させる（図１２のＳ５参照。）。
【０１００】
ユーザ甲が設定変更した設定項目の数がコピー関連項目全体の半数未満であり、且つ、変更項目が表示条件に合致している場合には、変更された設定項目がユーザ甲の意図に沿って表示されているので、警告する必要がない（図１２のＳ６０３：ＹＥＳ参照。）。
【０１０１】
しかし、ユーザ甲が設定変更した設定項目の数がコピー関連項目全体の半数未満であっても、変更された設定項目が表示条件に合致しない場合には、ユーザ甲の意図に沿わない項目まで表示部１４１に表示し、ユーザ甲に誤解を与える恐れがある。そこで、複合機１の制御装置２１０は、設定項目を削除するなどして、表示条件に従って変更項目に関する設定データを整理する（図１２のＳ６０３：ＮＯ、Ｓ６０４参照。）。それから、複合機１の制御装置２１０は、表示条件に従い、表示部１４１に警告を表示し、変更項目を変えたことをユーザ甲に知らせる（図１２のＳ６０５参照。）。
【０１０２】
より具体的に説明すると、例えば、コピーモードが選択されていて、ユーザ甲が設定項目として「解像度」、「部数」、「送信先」を選択して設定値を変更した場合には、「解像度」、「部数」は、「表示条件」としての「コピー関連の設定項目」に該当するが、「送信先」は該当しない。そこで、複合機１の制御装置２１０は、「送信先」を今回の設定項目から削除すると共に、図２３に示すように、「ＣＯＰＹの設定が変更されています。確認下さい。」とのメッセージを表示部１４１に表示してその旨を警告する（図１２のＳ６０３：ＮＯ、Ｓ６０４、Ｓ６０５参照。）。
またこの場合において、例えば、複合機１がユーザ甲により「部数」として３桁が入力された場合には、通常この種のパーソナルユースの複合機１では、「表示条件」としての「コピー関連の設定項目」における部数としては、２桁以内が多いので、表示部１４１に「異常な設定値が設定されました。確認下さい。」とのメッセージを表示してその旨を警告する（図１２のＳ６０３：ＮＯ、Ｓ６０４、Ｓ６０５参照。）。
【０１０３】
警告を見たユーザ甲は、複合機１のユーザパネル１２１を用いて設定項目表示要求し、整理された変更項目について「初期値」と「変更値」を再確認する（図１２のＳ４参照。）。そして、ユーザ甲が変更項目印刷要求をユーザパネル１２１に入力した場合には、複合機１の制御装置２１０は、整理された変更項目に従って印字するデータを作り直し、印字要求を再発生させる（図１２のＳ４、Ｓ５参照。）。
【０１０４】
複合機１は、印字要求が発生している場合には、図２５に示す印字するデータに従って、図２４に示すように、各変更項目毎に「初期値」、「２回前の設定値」、「１回前の設定値」、「現在値」を記録用紙に印刷する（図６のＳ７、図１３のＳ７０１、Ｓ７０２参照。）。
【０１０５】
＜複合機についての設定項目及び設定値をクライアントＰＣで変更する場合＞
ここでは、ユーザ甲が、クライアントＰＣ２０１から複合機１に印刷データを送信し、記録用紙に印刷データを印刷させる場合を例に挙げて説明する。
【０１０６】
ユーザ甲は、クライアントＰＣ２０１Ａで作成した画像を印刷するきに、クライアントＰＣ２０１Ａを用いてプリンタ関連の設定項目や設定値を任意に変更する（図６のＳ１参照。）。ユーザ甲が、クライアントＰＣ２０１Ａ側で表示条件を選択して複合機１に送信し、複合機１に表示条件を設定すると（図６のＳ２参照。）、複合機１は、表示条件に従ってクライアントＰＣ２０１Ａのディスプレイ２６０に変更された設定項目と設定値を表示させる（図６のＳ３参照）。その後、複合機１は、変更された設定項目及び設定値を表示部１４１に適正に表示しているか否かを確認し、適正に表示していなければ、クライアントＰＣ２０１Ａに警告を通知する（図６のＳ６参照。）。この一連の変更項目表示制御動作について、以下に具体的に説明する。
【０１０７】
ユーザ甲は、印刷を行うときに、クライアントＰＣ２０１Ａに格納されている変更プログラム２６２を起動すると、クライアントＰＣ２０１Ａが複合機１にアクセスして、複合機１の設定項目についての「初期値」と「現在値」を送り返すことを要求する。複合機１の制御装置２１０は、初期値記憶手段２４１と現在値記憶手段２４２から「現在値」と「初期値」を読み出して比較し、「初期値」と「変更値」が異なる設定項目をピックアップし、ピックアップした設定項目の「初期値」と「現在値」をクライアントＰＣ２０１Ａに送り返す。クライアントＰＣ２０１Ａは、複合機１から「初期値」と「現在値」を受信し、初期値・変更値記憶手段２６１に記憶させる。その後、クライアントＰＣ２０１Ａは、受信した「初期値」と「現在値」を設定項目別にディスプレイ２６０に一覧表示する。ユーザ甲は、ディスプレイ２６０に表示される内容を見て、変更が必要であれば、変更値を入力し、変更データをクライアントＰＣ２０１Ａからネットワーク２０２を介して複合機１へ送信する。
【０１０８】
複合機１は、変更データを受信した時点で、クライアントＰＣ２０１Ａから設定変更要求があると判断する（図７のＳ１０２：ＹＥＳ参照。）。そこで、複合機１の制御装置２１０は、変更データを解析・処理し、変更データに含まれる設定値をＮＶＲＡＭ２１４の現在値記憶手段２４２と変更履歴記憶手段２４３にそれぞれ書き込む（図７のS１０３参照。）。
【０１０９】
その後、ユーザ甲が、クライアントＰＣ２０１Ａに格納される表示条件設定プログラム２６３を起動すると、クライアントＰＣ２０１Ａのディスプレイ２６０に、表示条件を設定するための画面が表示される。ユーザ甲は、ディスプレイ２６０に表示される表示条件の中から、例えば、「設定に矛盾があるときに表示する。」を選択し、選択内容をクライアントＰＣ２０１Ａからネットワーク２０２を介して複合機１に送信する。
【０１１０】
複合機１は、クライアントＰＣ２０１Ａから表示条件に関するデータを受信すると、クライアントＰＣ２０１Ａが表示条件設定要求があると判断する（図８のＳ２０１：ＹＥＳ）。そこで、複合機１は、クライアントＰＣ２０１Ａから受信した表示条件「設定に矛盾があるときに表示する。」を表示条件記憶手段２４４に記憶し、表示条件を設定する（図８のＳ２１０参照。）。
【０１１１】
ユーザ甲は、クライアントＰＣ２０１Ａからネットワーク２０２を介して複合機１に、変更項目を表示することを要求すると、複合機１の制御装置２１０は、初期値記憶手段２４１の「初期値」と現在値記憶手段２４２の「現在値」とを比較し、「初期値」と「現在値」が異なる設定項目をピックアップし、例えば、ピックアップした設定項目の中からプリンタに関連する項目を表示する項目として決定する（図９のＳ３０１：ＹＥＳ、Ｓ３０２参照。）。そして、複合機１の制御装置２１０は、表示する項目として決定した変更項目について、「初期値」と「現在値」と「変更履歴」とを初期値記憶手段２４１、現在値記憶手段２４２、変更履歴記憶手段２４３からそれぞれ読み出し、「初期値」と「現在値」と「変更履歴」を合わせたｈｔｍｌ形式データを作成してクライアントＰＣ２０１Ａに送信する。
【０１１２】
複合機１の制御装置２１０は、ネットワーク２０２を介してクライアントＰＣ２０１Ａから表示条件を受信すると、クライアントＰＣ２０１Ａから変更項目表示要求があると判断し、初期値記憶手段２４１に記憶されている「初期値」と現在値記憶手段２４２に記憶されている「現在値」とを比較して変更された設定項目と設定値を特定し、表示条件に合致する項目を決定する（図９のＳ３０１：ＹＥＳ、Ｓ３０２参照。）。複合機１の制御装置２１０は、決定した項目について、初期値記憶手段２４１と現在値記憶手段２４２から「初期値」と「現在値」をそれぞれ読み出し、読み出した「初期値」と「現在値」とをあわせて、図２５に示すようなｈｔｍｌ形式のデータを作成する。本実施形態では、図２５に示すように、ｈｔｍｌ形式のデータは、変更項目毎に初期値、２回前の設定値、１回前の設定値、現在値を順に記憶している。例えば、変更項目「解像度」については、左側から右側に向かって順に、初期値「６００ｄｐｉ」、２回前の設定値「３００ｄｐｉ」、１回前の設定値「３００ｄｐｉ」、現在値「１２００ｄｐｉ」を順に並べて記憶する。複合機１は、作成したｈｔｍｌ形式のデータを、ネットワーク２０２を介してクライアントＰＣ２０１Ａに送信する。データを受信したクライアントＰＣ２０１Ａは、データを展開して、図２６に示すように変更項目表示画面をディスプレイ２６０に表示する（図９のＳ３０３参照。）。
【０１１３】
図２６に示す変更項目表示画面には、「設定変更された項目」の表示欄３０１、「初期値」の表示欄３０２、「２回前設定」の表示欄３０３、「１回前設定」の表示欄３０４、「現在設定」の表示欄３０５、「初期化」の選択欄３０６、「決定」のボタン欄３０７、「終了」のボタン欄３０８などが設けられている。
【０１１４】
「設定変更された項目」の表示欄３０１は、変更された設定項目を表示する欄である。本実施形態では、変更された設定項目として「解像度」「エミュレーション」、「トレイ」が表示されている。
「初期値」の表示欄３０２は、各項目の「初期値」が表示される。例えば、「解像度」の場合には「初期値」が「６００ｄｐｉ」に設定され、「エミュレーション」の場合には「初期値」が「ＡＵＴＯ」に設定され、「トレイ」の場合には「初期値」が「ＡＵＴＯ」に設定される。
【０１１５】
「２回前設定」の表示欄３０３と「１回前設定」の表示欄３０４は、過去に設定された変更値を記憶するものである。これらは、複合機１の変更履歴記憶手段２４３から読み出されて複合機１からネットワーク２０２を介してクライアントＰＣ２０１Ａに送信されてきた「変更履歴」を表示しており、過去の設定をユーザに知らしめて設定項目や設定値を変更する際の参考に供するようになっている。本実施形態では、「２回前設定」の表示欄３０３又は「１回前設定」の表示欄３０４をマウス等でクリックすると、表示されている項目がユーザによって選択された過去の設定に一括変換され、ユーザの入力にかかる手間を軽減できるようになっている。
【０１１６】
「現在設定」の表示欄３０５は、各項目の「現在値」が表示される。
「初期化」の選択欄３０６は、各項目について初期化する項目を設定するものである。選択した選択欄３０６には、●が表示され、選択の有無をユーザに知らしめるようになっている。
「決定」のボタン欄３０７は、「初期化」の選択欄３０６において選択した項目について初期化することを決定するものである。
「終了」のボタン欄３０８は、初期化せずに、変更された設定項目及び変更値の表示を終了させるものである。
【０１１７】
ユーザ甲が、図２６に表示される項目のうち、「解像度」と「エミュレーション」について初期化したい場合には、「解像度」と「エミュレーション」の前に設けられた「初期化」の選択欄３０６，３０６をクリックして初期化設定項目を選択した後、「決定」のボタン欄３０７をクリックする。すると、クライアントＰＣ２０１Ａからネットワーク２０２を介して複合機１に選択した項目（ここでは「解像度」と「エミュレーション」）を含むデータが送信される。複合機１の制御装置２１０は、そのデータを展開し、選択された項目「解像度」と「エミュレーション」について現在値記憶手段２４２の「現在値」を「初期値」に書き換えるとともに、変更履歴記憶手段２４３の変更履歴に「初期値」を書き込む（図９のＳ３０４：ＹＥＳ、Ｓ３０５参照。）。
【０１１８】
尚、ユーザ甲が変更された項目のいずれについても初期化を望まない場合には、図２６に示すようにクライアントＰＣ２０１Ａのディスプレイ２６０に表示された「終了」のボタン欄３０８をマウス等でクリックする。すると、クライアントＰＣ２０１Ａがネットワーク２０２を介して複合機１の制御装置２１０に、クライアントＰＣ２０１Ａのディスプレイ２６０に変更された設定項目及び設定値を表示する処理を終了する指示を与える（図９のＳ３０４：ＮＯ参照。）。これにより、クライアントＰＣ２０１Ａは、表示条件設定プログラム２６３を終了する。
【０１１９】
ユーザ甲がクライアントＰＣ２０１Ａを用いて変更した設定項目及び設定値が適正でない場合には、複合機１が正常に印字データを印刷できない恐れがある。そのため、複合機１は、ユーザ甲が変更した変更項目の数をカウントし、変更項目数がプリンタ関連の全項目数の半分以上である場合には、クライアントＰＣ２０１Ａにネットワーク２０２を介して警告を通知する（図１２のＳ６０１：ＹＥＳ、Ｓ６０２参照。）。
【０１２０】
また、ユーザ甲が設定した変更項目の数がプリンタ関連の全項目数の半分以上でなくても、例えば、変更項目の中に、設定に矛盾がない変更項目が含まれており、ユーザ甲が設定した表示条件「設定に矛盾があるときに表示する。」に合致しない場合には、複合機１の制御装置２１０は、設定に矛盾がない変更項目を消去するなどして、表示条件に従って変更項目に関する設定データを整理する（図１２のＳ６０３：ＮＯ、Ｓ６０４参照。）。そして、複合機１の制御装置２１０は、変更項目が表示条件に合致していないことをユーザ甲に知らせる警告をクライアントＰＣ２０１Ａにネットワーク２０２を介して送信する（図１２のＳ６０５参照。）。クライアントＰＣ２０１Ａ側で警告を見たユーザ甲は、表示条件設定プログラム２６３を起動し、設定項目を変更し直す。
【０１２１】
＜本実施形態の複合機の作用効果＞
従って、本実施形態の複合機１は、複合機１の動作についての各設定項目の初期値を記憶する初期値記憶手段２４１（図４参照。）と、初期値を変更する「変更手段」（図７のＳ１０３参照。）と、「変更手段」により変更された変更値を記憶する現在値記憶手段２４２（図４参照。）とを備えるものであって、「変更手段」により変更された設定項目を抽出する「設定項目抽出手段」（図９のＳ３０２、図１０のＳ４０２、図１１のＳ５０２参照。）と、「設定項目抽出手段」により抽出された設定項目について、現在値記憶手段２４２に記憶された「現在値」と初期値記憶手段２４１に記憶された「初期値」とを共に表示する「表示手段」（図９のＳ３０３、図１０のＳ４０３、図１３のＳ７０２参照。）と、を有しているので、変更された設定項目については「初期値」と「現在値」が複合機１の表示部１４１又はクライアントＰＣ２０１Ａのディスプレイ２６０に表示され、若しくは、記録用紙に印刷されるが、変更されない設定項目については何も複合機１の表示部１４１やクライアントＰＣ２０１Ａのディスプレイ２６０に表示されず、若しくは、記録用紙に印刷されない。そのため、本実施形態の複合機１によれば、ユーザ甲は、複合機１の表示部１４１やクライアントＰＣ２０１Ａのディスプレイ２６０に表示された設定項目又は記録用紙に印刷された設定項目の中から変更された設定項目及び設定値を探す必要がなく、設定が変更された複合機１の設定項目について迅速に理解することができる。また、本実施形態の複合機１によれば、複合機１の表示部１４１に「初期値」と「現在値」が共に表示されるので、ユーザ甲は「初期値」若しくは「初期値」から「現在値」への変更量を容易に理解することができる。
【０１２２】
また、本実施形態の複合機１によれば、「変更手段」（図７のＳ１０３参照。）により変更された設定項目の数を計数する「計数手段」（図１２のＳ６０１参照。）と、計数手段の計数値が所定値以上になったときに警報する「警報手段」（図１２のＳ６０２参照。）と、を有しているので、複合機１の動作についての設定項目が急に変えられ、複合機１が動作不良を生じることを防止できる。
【０１２３】
また、本実施形態の複合機１によれば、複合機１の表示部１２１に変更値を表示する表示条件を設定する「表示条件設定手段」（図８のＳ２１０参照。）と、「設定項目抽出手段」（図９のＳ３０２、図１０のＳ４０２、図１１Ｓ５０２参照。）により抽出された設定項目又は当該設定項目の変更値が、「表示条件設定手段」により設定された表示条件に合致しないときに警告する「警告手段」（図１２のＳ６０５参照。）と、を有するので、ユーザ甲が誤って設定項目を変更したときに、複合機１の動作前に設定の誤りを発見することができ、利便性がよい。
【０１２４】
また、本実施形態の複合機１によれば、「変更手段」（図７のＳ１０３参照。）により変更された設定項目を選択可能な「選択手段」（図９のＳ３０４、図１０のＳ４０６参照。）と、「選択手段」により選択された設定項目の設定値について、初期値記憶手段２４１に記憶された初期値に変更する「初期化手段」（図９のＳ３０５、図１０のＳ４０８参照。）と、を有するので、変更値を初期値に簡単に戻すことができる。
【０１２５】
尚、複合機１が、変更された設定項目についての初期値と現在値とを共に記録用紙に印刷するので（図１１、図１３参照。）、複合機１の動作について初期値より変更された設定項目及び変更値をユーザ甲が迅速に理解することができる。
【０１２６】
また、本実施形態の画像形成システム２００は、複合機１の動作についての各設定項目の初期値を記憶する初期値記憶手段２４１と、初期値より変更された現在値を記憶する現在値記憶手段２４２とを備える複合機１（図４参照。）に、クライアントＰＣ２０１がネットワーク２０２を介して接続されたものであって（図１参照。）、複合機１は、初期値より変更された設定項目を抽出する「設定項目抽出手段」（図９のＳ３０２、図１０のＳ４０２参照。）と、「設定項目抽出手段」により抽出された設定項目について、現在値記憶手段２４２に記憶された「現在値」と初期値記憶手段２４１に記憶された「初期値」とを共にクライアントＰＣ２０１にネットワークを介して送信する「第１送信手段」（図９のＳ３０３参照。）と、を有しているので、変更された設定項目については「初期値」と「現在値」をクライアントＰＣ２０１に送信してクライアントＰＣ２０１Ａのディスプレイ２６０に表示させるが、変更されない設定項目については何もクライアントＰＣ２０１Ａに送信せずクライアントＰＣ２０１Ａのディスプレイ２６０に表示させない。そのため、本実施形態の画像形成システム２００によれば、ユーザ甲は、クライアントＰＣ２０１Ａのディスプレイ２６０に表示された設定項目の中から変更された設定項目及び変更値を探す必要がなく、設定が変更された複合機１の設定項目について迅速に理解することができる。また、本実施形態の画像形成システム２００によれば、クライアントＰＣ２０１Ａに「初期値」と「現在値」が共に表示されるので、ユーザ甲は「初期値」若しくは「初期値」から「現在値」への変更量を容易に理解することができる。
【０１２７】
また、本実施形態の画像形成システム２００によれば、クライアントＰＣ２０１Ａは、複合機１から送信されてきた「現在値」と「初期値」とを受信する「受信手段」（変更プログラム２６２）と、受信した「変更値」と「初期値」とを記憶する初期値・変更値記憶手段２６１と、初期値・変更値記憶手段２６１に記憶された「初期値」若しくは「現在値」を変更する「変更手段」（変更プログラム２６２）と、変更された変更値を画像形成装置へ送信する「第２送信手段」（変更プログラム２６２）と、を有しているので、ユーザ甲は、複合機１から離れて設置されるクライアントＰＣ２０１Ａ側から、複合機１の動作についての設定項目及び初期値若しくは変更値を確認し、複合機１の動作についての設定項目及び設定値を変更することができる。
【０１２８】
また、本実施形態の画像形成システム２００によれば、変更履歴記憶手段２４３が、変更値の履歴を記憶しており、複合機１の「第１送信手段」（図９のＳ３０３参照。）が、変更履歴記憶手段２４３に記憶された「変更履歴」をクライアントＰＣ２０１Ａに送信するものであるので、ユーザ甲は、クライアントＰＣ２０１Ａ側から、複合機１についての過去の設定項目や変更値を確認し、それを参考にして複合機１の動作についての設定項目や初期値若しくは直前の変更値を変更することができる。
【０１２９】
また、本実施形態の画像形成システム２００によれば、クライアントＰＣ２０１Ａは、ディスプレイ２６０に「現在値」を表示する表示条件を設定する「表示条件設定手段」と、変更表示条件設定処理において設定した表示条件をネットワーク２０２を介して複合機１へ送信する「第３送信手段」とを含む表示条件設定プログラム２６３（図５参照。）を有し、複合機１が、「設定項目抽出手段」により抽出された設定項目又は当該設定項目の設定値が、クライアントＰＣ２０１Ａから受信した表示条件に合致しないときに、クライアントＰＣ２０１Ａに警告を通知する「通知手段」（図１２のＳ６０５参照。）と、を有するので、ユーザが誤って設定項目の変更値を設定したときに、装置の動作前に設定の誤りを発見することができ、利便性がよい。
【０１３０】
尚、本発明の実施の形態について説明したが、本発明は、上記実施の形態に限定されることなく、色々な応用が可能である。
【０１３１】
（１）例えば、上記実施の形態では、複合機１を電子装置及び画像形成装置として使用したが、コピー機、プリンタ、ファクシミリなどを電子装置及び画像形成装置として使用してもよい。
【０１３２】
（２）例えば、上記実施形態では、変更履歴記憶手段２４３が、変更値の履歴を記憶しており、複合機１の表示部１４１に「初期値」と「変更値」のみを表示したが、表示部１４１に表示可能であれば、「初期値」及び「現在値」とともに、変更履歴記憶手段２４３に記憶された変更値の履歴を表示部１４１に表示するようにして、複合機１のユーザが過去の設定項目や変更値を参考にして設定項目や初期値若しくは直前の変更値を変更することができるようにしてもよい。
【０１３３】
（３）上記実施形態では、複合機１側で設定変更した場合には、変更項目及び変更値を複合機１の表示部１４１に表示し、クライアントＰＣ２０１側で設定変更した場合には、変更項目及び変更値をクライアントＰＣ２０１のディスプレイ２６０に表示した。これに対して、設置変更した機器によって表示先を決めず、ユーザの選択等によって、複合機１の表示部１４１とクライアントＰＣ２０１のディスプレイ２６０何れかに表示するようにしてもよいし、複合機１の表示部１４１とクライアントＰＣ２０１のディスプレイ２６０の双方に表示するようにしてもよい。
【０１３４】
（４）上記実施形態では、警告をメッセージで表示したが（図１２のＳ６０２、Ｓ６０５参照。）、ブザー音やアナウンスなどで警告を発してもよい。
【図面の簡単な説明】
【０１３５】
【図１】本発明の実施形態に係る画像形成システムのブロック図である。
【図２】図１に示す複合機の外観斜視図である。
【図３】図２に示す複合機の断面図である。
【図４】図１に示す複合機に内蔵される制御装置のブロック図である。
【図５】図１に示すクライアントＰＣの制御ブロック図である。
【図６】図１に示す複合機が実行する設定変更表示制御処理を示すフローである。
【図７】図６に示す設定の変更処理を示すフローである。
【図８】図６に示す変更表示条件設定処理を示すフローである。
【図９】図６に示す変更項目表示処理（ＥＷＳ））を示すフローである。
【図１０】図６に示す変更項目表示処理（ＬＣＤ）を示すフローである。
【図１１】図６に示す変更項目印字処理を示すフローである。
【図１２】図６に示す変更警告処理（項目表示処理）を示すフローである。
【図１３】図６に示す印字処理を示すフローである。
【図１４】図７に示す設定の変更処理を実行した場合における複合機の表示部に表示    される画面の表示例を示す図である。
【図１５】図８に示す変更表示条件設定処理を実行した場合における複合機の表示部    に表示される画面の表示例を示す図である。
【図１６】図８に示す変更表示条件設定処理を実行した場合における複合機の表示部    に表示される画面の表示例を示す図である。
【図１７】図８に示す変更表示条件設定処理を実行した場合における複合機の表示部    に表示される画面の表示例を示す図である。
【図１８】図８に示す変更表示条件設定処理を実行した場合における複合機の表示部    に表示される画面の表示例を示す図である。
【図１９】図１０に示す変更項目表示処理（ＬＣＤ）を実行した場合における複合機    の表示部に表示される画面の表示例を示す図である。
【図２０】図１０に示す変更項目表示処理（ＬＣＤ）を実行した場合における複合機    の表示部に表示される画面の表示例を示す図である。
【図２１】図１０に示す変更項目表示処理（ＬＣＤ）を実行した場合における複合機    の表示部に表示される画面の表示例を示す図である。
【図２２】図１２に示す変更警告処理（項目表示処理）を実行した場合における複合    機の表示部に表示される画面の表示例を示す図である。
【図２３】図１２に示す変更警告処理（項目表示処理）を実行した場合における複合    機の表示部に表示される画面の表示例を示す図である。
【図２４】変更された設定項目及び設定値の印字例を示す図である。
【図２５】複合機からクライアントＰＣに送信する表示データのデータ構造について    一例を示す図である。
【図２６】図８に示す変更表示条件設定処理を実行した場合におけるクライアントＰ    Ｃのディスプレイに表示される画面の表示例を示す図である。
【符号の説明】
【０１３６】
１  複合機（画像形成装置）
２００  画像形成システム
２０１  クライアントＰＣ（上位装置）
２０２  ネットワーク（通信手段）
２４０  設定変更表示制御プログラム（設定項目抽出手段、表示手段、印刷手段、計数手段、警報手段、表示条件設定手段、警告手段、通知手段、選択手段、初期化手段、第１送信手段）
２４１  初期値記憶手段
２４２  現在値記憶手段（変更値記憶手段）
２４３  変更履歴記憶手段（変更値記憶手段）
２６１  初期値・変更値記憶手段（記憶手段）
２６２  変更プログラム（受信手段、第２送信手段、変更手段）
２６３  表示条件設定プログラム（表示条件設定手段、第３送信手段）
【図１】
0004492547.tif 000002
【図２】
0004492547.tif 000003
【図３】
0004492547.tif 000004
【図４】
0004492547.tif 000005
【図５】
0004492547.tif 000006
【図６】
0004492547.tif 000007
【図７】
0004492547.tif 000008
【図８】
0004492547.tif 000009
【図９】
0004492547.tif 000010
【図１０】
0004492547.tif 000011
【図１１】
0004492547.tif 000012
【図１２】
0004492547.tif 000013
【図１３】
0004492547.tif 000014
【図１４】
0004492547.tif 000015
【図１５】
0004492547.tif 000016
【図１６】
0004492547.tif 000017
【図１７】
0004492547.tif 000018
【図１８】
0004492547.tif 000019
【図１９】
0004492547.tif 000020
【図２０】
0004492547.tif 000021
【図２１】
0004492547.tif 000022
【図２２】
0004492547.tif 000023
【図２３】
0004492547.tif 000024
【図２４】
0004492547.tif 000025
【図２５】
0004492547.tif 000026
【図２６】
0004492547.tif 000027